(57)【要約】番組情報（ＰＩ１、ＰＩ２）並びに少なくとも一つの受信チャネル（Ｃ１、Ｃ２、Ｃ３）におけるテレビ番組の画像情報及び／又は音声情報を含む受信情報（ＥＩ１、ＥＩ２）を受信するための受信手段（４）と、前記受信チャネル（Ｃ１、Ｃ２、Ｃ３）において受信可能なテレビ番組の開始時間（ＢＺ）及び終了時間（ＥＺ）を特徴づける、受信した前記番組情報（ＰＩ１、ＰＩ２）を検出するための検出手段（１０）と、記録開始時間（ＡＢＺ）から記録終了時間（ＥＢＺ）まで記録担体上に前記受信チャネル（Ｃ１、Ｃ２、Ｃ３）において受信した前記画像情報及び前記音声情報を記録するように構成される記録手段（６）とを持つ記録装置（１）が、当該記録装置（１）のユーザが記録のために前記記録開始時間（ＡＢＺ）及び前記受信チャネル（Ｃ１、Ｃ２、Ｃ３）を規定した場合に、該受信チャネル（Ｃ１、Ｃ２、Ｃ３）において受信可能なテレビ番組の該記録のための前記記録終了時間（ＥＢＺ）として前記検出手段（１０）により決定される前記終了時間（ＥＺ）を提示する記録制御手段（１３）を含む。
2004506390.tif 000002
【特許請求の範囲】
【請求項１】
番組情報並びに少なくとも一つの受信チャネルにおけるテレビ番組の画像情報及び／又は音声情報を含む受信情報を受信するための受信手段と、前記受信チャネルにおいて受信可能なテレビ番組の開始時間及び終了時間を特徴づける、受信した前記番組情報を検出するための検出手段と、記録開始時間から記録終了時間まで記録担体上に前記受信チャネルにおいて受信した前記画像情報及び／又は前記音声情報を記録する記録手段とを持つ記録装置であって、当該記録装置のユーザが記録のために前記記録開始時間及び前記受信チャネルを規定した場合に、該受信チャネルにおいて受信可能なテレビ番組の該記録のための前記記録終了時間として前記検出手段により決定される前記終了時間を提示する記録制御手段を持つ記録装置。
【請求項２】
前記記録制御手段が、当該記録装置のユーザが前記記録開始時間として現在の時刻及び前記受信手段において記録のために現在選択されている前記受信チャネルを規定した場合に、前記受信手段において現在選択されている前記受信チャネルにおいて受信されるテレビ番組の該記録のための前記記録終了時間として前記検出手段により決定される前記終了時間を提示することを特徴とする請求項１に記載の記録装置。
【請求項３】
前記記録制御手段が、前記記録開始時間に選択されている前記受信チャネルにおいて受信されるテレビ番組直後のテレビ番組の前記終了時間を提示し、該終了時間は、前記記録開始時間及び該記録開始時間に受信した前記テレビ番組の前記終了時間が少なくとも記録に係る最小の記録長をもたらさない場合に、当該記録の前記記録終了時間として前記検出手段により決定されたものであることを特徴とする請求項２に記載の記録装置。
【請求項４】
当該記録装置のユーザにより入力された選択情報に応じて提示された前記記録終了時間を変更する変更手段を含むことを特徴とする請求項１に記載の記録装置。
【請求項５】
前記検出手段は、前記受信情報に含まれ、標準規格ＥＴＳ ３００ ７０１及び標準規格ＥＮ ３００ ４６８ Ｖ１．３．１ （１９９８−０２）それぞれに準拠する電子番組ガイドを検出することを特徴とする請求項１に記載の記録装置。
【請求項６】
前記受信手段は、インターネットから前記番組情報を受信することを特徴とする請求項１に記載の記録装置。
【請求項７】
当該記録装置は、中間記憶時間の間選択されている前記受信チャネルにおいて前に受信したテレビ番組の前記画像情報及び／又は前記音声情報を間断なく上書きするようにして記録するための中間記憶手段を含み、前記記録制御手段は、前記記録開始時間がテレビ番組の前記開始時間に対応しない場合に、前記中間記憶時間の間に前記中間記憶手段に記録された該テレビ番組の初めの部分のテレビジョン信号を、記録時間の間に記録された該テレビ番組のテレビジョン信号に割当てることを特徴とする請求項２に記載の記録装置。
【請求項８】
番組情報並びに少なくとも一つの受信チャネルにおけるテレビ番組の画像情報及び／又は音声情報を含む受信情報を受信するステップと、前記受信チャネルにおいて受信可能なテレビ番組の開始時間及び終了時間を特徴づける、受信した前記番組情報を検出するステップと、記録開始時間から記録終了時間まで記録担体上に前記受信チャネルにおいて受信した前記画像情報及び／又は前記音声情報を記録するステップとを有する記録方法であって、当該記録方法を実施する記録装置のユーザが記録のために前記記録開始時間及び前記受信チャネルを規定した場合に、該受信チャネルにおいて受信可能なテレビ番組の該記録のための前記記録終了時間として前記検出ステップにより決定される前記終了時間を提示するステップを有する記録方法。
【請求項９】
当該記録方法を実施する記録装置のユーザが前記記録開始時間として現在の時刻及び記録のために現在選択されている前記受信チャネルを規定した場合に、現在選択されている前記受信チャネルにおいて受信されるテレビ番組の該記録のための前記記録終了時間として前記検出ステップにより決定される前記終了時間を提示するステップを有することを特徴とする請求項８に記載の記録方法。
【請求項１０】
前記記録開始時間及び該記録開始時間に受信したテレビ番組の前記終了時間が少なくとも記録に係る最小の記録長をもたらさない場合に、当該記録の前記記録終了時間として前記記録開始時間において選択されている前記受信チャネルにおいて受信される前記テレビ番組直後のテレビ番組の検出された前記終了時間を提示するステップを有することを特徴とする請求項８に記載の記録方法。
【請求項１１】
中間記憶時間の間選択されている前記受信チャネルにおいて前に受信したテレビ番組の前記画像情報及び／又は前記音声情報を間断なく上書きするようにして記録するステップと、前記記録開始時間がテレビ番組の前記開始時間に対応しない場合に、前記中間記憶時間の間に記録された該テレビ番組の初めの部分のテレビジョン信号を、記録時間の間に記録された該テレビ番組のテレビジョン信号に割当てるステップとを有することを特徴とする請求項８に記載の記録方法。
【発明の詳細な説明】
【０００１】
【発明の属する技術分野】
本発明は、番組情報並びに少なくとも一つの受信チャネルにおけるテレビ番組の画像情報及び／又は音声情報を含む受信情報を受信するための受信手段と、前記受信チャネルにおいて受信可能なテレビ番組の開始時間及び終了時間を特徴づける、受信した前記番組情報を検出するための検出手段と、記録開始時間から記録終了時間まで記録担体上に前記受信チャネルにおいて受信した前記画像情報及び／又は前記音声情報を記録する記録手段とを持つ記録装置に関する。
【０００２】
本発明は更に、番組情報並びに少なくとも一つの受信チャネルにおけるテレビ番組の画像情報及び／又は音声情報を含む受信情報を受信するステップと、前記受信チャネルにおいて受信可能なテレビ番組の開始時間及び終了時間を特徴づける、受信した前記番組情報を検出するステップと、記録開始時間から記録終了時間まで記録担体上に前記受信チャネルにおいて受信した前記画像情報及び／又は前記音声情報を記録するステップとを含む記録方法に関する。
【０００３】
【従来の技術】
斯様な記録装置及び斯様な記録方法は、米国特許第ＵＳ−Ａ−４，８６４，４２９号から既知である。この既知の記録装置は、ビデオレコーダの形態をとり、テレビ番組の画像情報及び音声情報を受信するためのチューナを含む。この既知のビデオレコーダは更に、ＶＰＳデコーダを含む。ＶＰＳデコーダは、検出手段を形成し、テレビ番組に関する受信した受信情報（ｒｅｃｅｐｔｉｏｎ ｓｉｇｎａｌ）に含まれるＶＰＳ情報を検出する。検出されたＶＰＳ情報は、とりわけ、ビデオレコーダが現在受信しているテレビ番組を特徴づける、ＶＰＳコードを含む。
【０００４】
クイックスタートキーを作動させることにより、既知のビデオレコーダのユーザは、該ビデオレコーダの録画モードを起動させることができる。この録画モードにおいては、現在受信中のテレビ番組が録画される。この目的のため、ビデオレコーダの記録制御手段が、録画モードを起動させた時点で受信したＶＰＳコードを記憶し、このコードと、テレビ番組の録画中に受信したＶＰＳコードとを絶えず比較する。受信していたテレビ番組が終了し、新しいテレビ番組がビデオレコーダにより受信情報において受信されると、テレビ番組を特徴づけるＶＰＳコードも変化し、記録制御手段は録画モードを停止させる。
【０００５】
受信情報の受信において軽微な障害（ｍｉｎｏｒ ｄｉｓｔｕｒｂａｎｃｅ）がある場合、受信している画像情報及び音声情報は、依然として、実質的に如何なる障害なしにビデオレコーダにより記録され得る、または、テレビジョンセットにより再生され得るが、ＶＰＳデコーダは、ＶＰＳ情報を検出することができないと言うことが分かった。即ち、既知の記録装置は、クイックスタートキーを作動させた後に受信情報の受信において軽微な障害がある場合、記録制御手段が、しきりに検出されたＶＰＳコードが変化するために直ちに録画モードを停止させたり、ＶＰＳコードを検出することができないためにこの録画モードを停止させないと言う不利な点を持つ。同様に、記録制御手段は、受信情報の受信において短時間の障害（ｂｒｉｅｆ ｄｉｓｔｕｒｂａｎｃｅ）がある場合に録画モードを中断し、これは、不利な点である。
【０００６】
テレビ局がテレビ番組の受信情報においてＶＰＳ情報を実際に送信する場合しか記録制御手段はこの録画モードを制御する方法を用いることができないと言う既知の記録装置の更なる不利な点が判明した。録画終了時間は、記録装置により自動的に規定され、ユーザにとってそれと見て分からないものであって、該ユーザが、録画終了時間に影響を与えられないと言う更なる不利な点も判明した。
【０００７】
【発明が解決しようとする課題】
本発明の目的は、上述した不利な点を含まない、第１段落に規定される形式の記録装置及び第２段落に規定される形式の記録方法を提供することにある。
【０００８】
【課題を解決するための手段】
この目的は、斯様な記録装置において、前記受信チャネルにおいて受信可能なテレビ番組の開始時間及び終了時間を特徴づける、受信した前記番組情報を検出するための検出手段を具備することにより、及び当該記録装置のユーザが記録のために前記記録開始時間及び前記受信チャネルを規定した場合に、該受信チャネルにおいて受信可能なテレビ番組の該記録のための前記記録終了時間として前記検出手段により決定される前記終了時間を提示する記録制御手段を具備することにより達成される。
【０００９】
前記目的は、斯様な記録方法が、前記受信チャネルにおいて受信可能なテレビ番組の開始時間及び終了時間を特徴づける、受信した前記番組情報を検出するステップと、当該記録方法を実施する記録装置のユーザが記録のために前記記録開始時間及び前記受信チャネルを規定した場合に、該受信チャネルにおいて受信可能なテレビ番組の該記録のための前記記録終了時間として前記検出ステップにより決定される前記終了時間を提示するステップとを具備することにより達成される。
【００１０】
これは、記録装置が、記録終了時間をユーザに提示し、ユーザによる確認後画像情報及び音声情報をテレビ番組の終了まで記録し、これは、ユーザの望みに確実にかなうと言う利点を持つ。しかしながら、ユーザは、自身の望みに応じて提示された記録終了時間を変更する可能性も持つ。
【００１１】
通例のようにしてインターネットから又はテレビジョン信号の隠れ線において受信手段により受信され得る受信情報が、来る数日のうちで受信可能な実質的に如何なるテレビ番組の番組情報も含み、故に、ＶＰＳ情報も受信され得るテレビ番組に限定されないことが有利である。検出手段は次の日まで受信することができないテレビ番組に関する受信した番組情報を予め検出することができるので、画像情報及び／又は音声情報の記録前又は記録中の受信情報の受信における障害は、提示されるべき記録終了時間の信頼性のある検出に最早悪影響を及ぼさないであろう。
【００１２】
請求項２に規定される策は、現在受信中のテレビ番組の記録をユーザが起動させる場合に、記録制御手段が、記録終了時間としてこのテレビ番組の終了時間を提示し、記録装置をプログラムする非常に簡単且つ迅速な方法が得られると言う利点を持つ。
【００１３】
請求項３に規定される策は、記録制御手段が、ユーザが望んでいる見込みが少ないような、記録時間が非常に短い（例えば、僅か１．５分の記録時間）場合に記録終了時間として次のテレビ番組の終了時間を提示するという利点を持つ。これは、記録されるべきテレビ番組が始まる少し前にユーザが記録モードを既に起動させた場合にとりわけ有利である。
【００１４】
請求項４に規定される策は、記録終了時間が、遠隔制御装置又は記録装置のキーを用いてユーザにより入力される選択情報に応じて規定されると言う利点を持つ。
【００１５】
請求項５に規定される記録装置は、標準規格ＥＴＳ ３００ ７０１に応じたテレビジョン信号の隠れ線における、又は標準規格ＥＮ ３００ ４６８ Ｖ１．３．１（１９９８−０２）に応じたＤＶＢデータストリームにおける、多くの欧州諸国で既に送信されている、番組情報を検出することが可能であるという利点を持つ。
【００１６】
請求項６に規定される記録装置は、インターネットに接続されるＥＰＧサーバに記憶された番組情報を検出することも可能であるという利点を持つ。
【００１７】
請求項７に規定される記録装置及び請求項１１に規定される記録方法は、テレビ番組の開始時間後にユーザが記録モードを起動させる場合にも、中間記憶手段に記憶されたテレビ番組の初めの部分が当該記録に割当てられ、完全に記録されたテレビ番組が後の再生時に再生されると言う利点を持つ。
【００１８】
【発明の実施の形態】
ここで、本発明を、添付の図に示されるが本発明を限定はしない実施例を参照して例示として述べる。
【００１９】
図１は、テレビジョン信号ＦＳの画像情報及び音声情報を記録するための記録装置（ｒｅｃｏｒｄｉｎｇ ａｒｒａｎｇｅｍｅｎｔ）を形成するハードディスクレコーダ１を示す。この目的のため、ハードディスクレコーダ１は、記録方法を実施する。ハードディスクレコーダ１は、アンテナ２からアンテナ信号の形態で受信情報ＥＩ１を受信することができる。複数の周波数帯域即ち受信チャネルＣにおいて、アンテナ信号は、各テレビ局からのテレビ番組の画像情報及び音声情報を表すテレビジョン信号ＦＳを含む。図２に表Ｔで示されるように、ハードディスクレコーダ１は、第１受信チャネルＣ１においてテレビ局ＣＮＮからテレビ番組を受信し、第２受信チャネルＣ２においてテレビ局ＭＴＶからテレビ番組を受信し、第３受信チャネルＣ３においてテレビ局ＥＵＲＯＳＰＯＲＴからテレビ番組を受信する。
【００２０】
テレビ番組の画像情報及び音声情報に加えて、個々のテレビ局はまた、テレビジョン信号ＦＳの隠れ線（ｈｉｄｄｅｎ ｌｉｎｅｓ）においてテレテキスト情報も送信する。標準規格ＥＴＳ ３００ ７０７が、同様にテレビジョン信号ＦＳの隠れ線において送信される、第１番組情報ＰＩ１を含む電子番組ガイドを規定している。この第１番組情報ＰＩ１は、とりわけ、来る週に受信可能なテレビ番組の放送データ（日付）、これらテレビ番組を受信することができる受信チャネルＣ、並びにこれらテレビ番組の開始時間ＢＺ及び終了時間ＥＺを含む。
【００２１】
ハードディスクレコーダは、インターネットを介して第２番組情報ＰＩ２を取得（ｒｅｔｒｉｅｖｅ）することができる。この情報は、インターネットに接続されているＥＰＧサーバ３に記憶される。第２番組情報ＰＩ２も、とりわけ、来る週に受信可能なテレビ番組の放送日、これらテレビ番組を受信することができる受信チャネルＣ、並びにこれらテレビ番組の開始時間ＢＺ及び終了時間ＥＺを含む。図２に示される表は、ＥＰＧサーバ３に記憶される第２番組情報ＰＩ２の一部を含み、１０：３０から１３：００の期間にテレビ局ＣＮＮ、ＭＴＶ及びＥＵＲＯＳＰＯＲＴにより放送されるテレビ番組の開始時間ＢＺ、終了時間ＥＺ及びタイトルを示している。
【００２２】
図３は、第２受信チャネルＣ２において受信される、テレビ局ＭＴＶのテレビ番組のテレビジョン信号ＦＳ（ＭＴＶ）の波形を記号的に示す。”ＣＬＩＰ”というタイトルがついている第１テレビ番組ＦＳ１が、１０：３０に始まり、１１：００に終了する。その後、”ＳＴＩＮＧ ＩＮ ＣＯＮＣＥＲＴ”というタイトルがついている第２テレビ番組ＦＳ２が、１１：００に始まり、１２：３０に終了する。次いで、”ＣＬＩＰ−ＮＥＷ”というタイトルがついている第３テレビ番組ＦＳ３が、１２：３０に始まり、１３：００に終了する。
【００２３】
ハードディスクレコーダ１は、第１受信情報ＥＩ１を受信するための、及び第２受信情報ＥＩ２としてＥＰＧサーバ３から第２番組情報ＰＩ２を取得するための受信手段４を持つ。この目的のため、受信手段４は、チューナ５を含み、該チューナへは、アンテナ２からの第１受信情報ＥＩ１及び受信チャネル情報ＣＩが供給され得る。チューナ５に供給された受信チャネル情報ＣＩに応じて、該チューナは、受信可能な受信チャネルＣの一つを選択し、選択した受信チャネルＣにおいて受信されるテレビジョン信号ＦＳを記録手段６及び出力端子７に供給する。
【００２４】
記録手段６は、受信したテレビジョン信号ＦＳを処理するための信号処理段、及び処理されたテレビジョン信号を記録するためのハードディスクを含む。記録手段６は、録画起動情報ＡＡＩを受信することができ、該録画起動情報により、ハードディスクレコーダ１の録画モードが、録画開始時間ＡＢＺに起動する。記録手段６は更に、録画停止情報ＡＤＩを受信することができ、該録画停止情報により、ハードディスクレコーダ１の録画モードが、録画終了時間ＡＥＤに停止する、即ち、終了する。即ち、チューナ５により供給され、処理されたテレビジョン信号が、録画開始時間ＡＢＺから録画終了時間ＡＥＺまで記録手段６のハードディスクにより記録される。
【００２５】
ハードディスクレコーダ１の再生モードにおいて、記録手段６はまた、ハードディスク上に記録された処理されたテレビジョン信号を、再生テレビジョン信号ＷＦＳとして再生し出力端子７に供給し得る再生手段も形成する。出力端子７は、テレビジョンセット８に接続され、該テレビジョンセットにより、ハードディスクレコーダ１のユーザは、テレビジョン信号ＦＳ即ちＷＦＳとして出力端子７に供給されたテレビ番組を視聴することができる。
【００２６】
受信手段４は更に、モデム９を含み、該モデムにより、インターネットＮＥＴへの及び最終的にはＥＰＧサーバ３への通信接続を、図１には示されていないサービスプロバイダを介して確立することができる。この目的のため、モデム９は、ＥＰＧサーバのＩＰアドレスを、及び所望の場合には、同様の他のＥＰＧサーバのＩＰアドレスも記憶する。ＥＰＧサーバ３との通信接続が確立された後、モデム９は、第２受信情報ＥＩ２として第２番組情報ＰＩ２を取得する。
【００２７】
ハードディスクレコーダ１は更に、チューナ５により供給される第１番組情報ＰＩ１及びモデム９により供給される第２番組情報ＰＩ２を検出する検出手段１０を含む。検出時、検出手段１０は、来る週のうちでチューナ５により個々の受信チャネルを介して受信可能なテレビ番組ＦＳの日付、並びに番組情報ＰＩ１及びＰＩ２に含まれる開始時間ＢＺ及び終了時間ＥＺを決定する。
【００２８】
テレビジョン信号ＦＳの隠れ線に含まれる受信した第１番組情報ＰＩ１を検出するために、検出手段１０は、テレテキストデコーダ１１を含む。どのように特定の情報（例えば、ＢＺ、ＥＺ）を標準規格（ＥＴＳ ３００ ７０７）に準拠するデータストリームから獲得することができるかは、当業者にとって既知である。ＥＰＧサーバ３に記憶された第２番組情報ＴＩ２の検出のために、検出手段１０は、検出段１２を含む。閾値テレテキストデコーダ１１及び検出段１２により決定される関連するテレビ番組の開始時間ＢＺ、終了時間ＥＺ及び放送日、並びに該テレビ番組を受信することが可能な受信チャネルＣは、ハードディスクレコーダ１の記録制御手段１３に供給され得る。
【００２９】
記録制御手段１３は、図２に示される表Ｔにおいて該記録制御手段に供給される情報を記憶する。記録制御手段１３は更に、録画起動情報ＡＡＩ及び録画停止情報ＡＤＩを記録手段６に供給し、斯くして、記録制御手段６を制御する。記録制御手段１３は更に、受信チャネル情報ＣＩをチューナ５に供給し、斯くして、該チューナ５により供給されるテレビジョン信号ＦＳの受信チャネルＣを規定する。
【００３０】
選択情報ＡＩを、キーパッド１４から記録制御手段１３に供給することができ、該選択情報により、ハードディスクレコーダ１のユーザは、ハードディスクレコーダ１を制御することができ、斯くして、テレビ番組の録画のためにこのレコーダをプログラムすることもできる。ハードディスクレコーダ１の瞬時の動作モードに依存して、記録制御手段１３は、出力端子７を介してテレビジョンセット８にオンスクリーン表示情報ＯＳＤＩを供給し、このテレビジョンセットを用いてオンスクリーン表示としてこの情報を表示することができる。
【００３１】
ハードディスクレコーダ１のユーザが、録画開始時間ＡＢＺ及び録画用の受信チャネルＣを規定した場合、記録制御手段１３は、本例の場合、当該録画の録画終了時間ＡＥＺとして録画開始時間ＡＢＺに受信チャネルＣにおいて受信可能なテレビ番組に関する、検出手段１０により決定される、終了時間ＥＺを提示する。この利点を、以下に述べる二つの使用例を用いて詳述する。
【００３２】
ハードディスクレコーダ１の第１使用例においては、ハードディスクレコーダ１のユーザが、１１：０８にテレビジョンセット８をオンし、現在選択されているテレビ局ＭＴＶの受信チャネルＣ２において受信されるテレビ番組”ＳＴＩＮＧ ＩＮ ＣＯＮＣＥＲＴ”を見ると仮定する。１１：１０に、ユーザは、選択されている受信チャネルＣ２において受信中のこのテレビ番組を、ハードディスクレコーダ１により現在の時刻で録画を始めることを決定し、キーパッド１４のワンタッチ録画キーを作動させる。次いで、ワンタッチ録画キーに対応するキーパッド選択情報ＡＩが、記録制御手段１３に供給され、これにより、該記録制御手段は、録画開始時間ＡＢＺ及び録画用の受信チャネルＣを規定する。
【００３３】
次いで、記録制御手段１３は、直ちに、録画起動情報ＡＡＩを記録手段６に供給する。この結果、テレビ番組”ＳＴＩＮＧ ＩＮ ＣＯＮＣＥＲＴ”の第２テレビジョン信号ＦＳ２が、図３に図示されるように、記録信号ＡＳとして録画開始時間ＡＢＺ＝１１：１０に記録開始される。
【００３４】
ここで、記録制御手段１３は、記憶されている表Ｔを読出し、オンスクリーン表示情報ＯＤＳＩをテレビジョンセット８に供給する。テレビジョンセット８は、“録画中のテレビ番組”ＳＴＩＮＧ ＩＮ ＣＯＮＣＥＲＴ”は１２：３０ｐｍに終了します。録画を１２：３０ｐｍに止めますか（押”ＯＫ“）？、別の録画終了時間を規定しますか（押”ＢＡＣＫ“）？”なるテキストのオンスクリーン表示をもたらす。原則として、ユーザは、ワンタッチ録画キーを作動させることにより現在のテレビ番組を録画することを望むであろうし、故に、このことをキーパッド１４のＯＫキーを作動させることにより裏付けるであろう。
【００３５】
これは、ユーザが、現在録画中のテレビ番組の長さについての情報を直ちに受け取り、ＯＫキーを一回作動させることによりなされるように、このテレビ番組の録画に必要とされる録画終了時間ＡＥＺを非常に簡単に規定することができるという利点を持つ。
【００３６】
これは、録画終了時間ＡＥＺが、テレビ番組全体を録画するために適当であると心に描いている録画長が得られるまで長さキーを繰返し作動させることにより３０分刻みでユーザによりインクリメントされなければならないような、ワンタッチ録画キーの現在慣例となっている機能と比較してとりわけ有利である。
【００３７】
ユーザが現在のテレビ番組を超えて録画することを望む場合、該ユーザは、ＡＤＤキーを作動させることにより録画終了時間ＡＥＺとして該現在のテレビ番組に後続するテレビ番組の終了時間ＥＺを規定することができる。第１の使用例においては、ユーザは、ＡＤＤキーを一回作動させることにより録画終了時間ＡＥＺを１３：００に斯くして設定することができ、この結果、テレビ番組”ＣＬＩＰ−ＮＥＷ”全体の第３テレビジョン信号ＦＳ３も記録されるであろう。適当な確認用のテキスト“録画終了時間は１３：００に設定されました。テレビ番組”ＳＴＩＮＧ ＩＮ ＣＯＮＣＥＲＴ”及び”ＣＬＩＰ−ＮＥＷ”が録画されます。”が、テレビジョンセット８上にオンスクリーン表示として示されるであろう。
【００３８】
これは、テレビ番組が終わるまでこれらテレビ番組を録画するための録画終了時間ＡＥＺをとりわけ簡単に規定する方法が得られると言う利点を持つ。更に、録画前または録画中に生じる、画像情報及び音声情報には殆ど悪影響を及ぼさないが第１番組情報ＰＩ１の受信または正確な検出を妨げるような、アンテナ信号における短時間の障害、ましてより長い障害が、録画されるテレビ番組の終了時間における信頼性のある録画の完了に悪影響を及ぼさないと言う利点が得られる。
【００３９】
記録制御手段１３は、更に、録画の録画長を演算する。この録画長は、録画開始時間ＡＢＺ及び該録画開始時間ＡＢＺに受信したテレビ番組の終了時間ＥＺから決定され得る。この場合、記録制御手段１３は、録画開始時間ＡＢＺ及び該録画開始時間ＡＢＺに受信したテレビ番組の終了時間ＥＺが少なくとも録画に係る最小の録画長である３分をもたらさない場合、当該録画の録画終了時間ＡＥＺとして録画開始時間ＡＢＺにおいて選択されている受信チャネルＣにおいて受信されるテレビ番組直後のテレビ番組の、検出手段１１により決定される、終了時間ＥＺを提示する。
【００４０】
即ち、１０：５８に、ユーザが、テレビ番組”ＳＴＩＮＧ ＩＮ ＣＯＮＣＥＲＴ”が１１：００に始まることを知りながら、該テレビ番組を録画するためにワンタッチ録画キーを作動させる場合、記録制御手段１３は、録画終了時間ＡＥＺ＝１１：００を提示せず、録画終了時間ＡＥＺ＝１２：３０を直接提示する。これは、略々間違いなくユーザにより要求される録画終了時間が毎回提示されると言う利点を持つ。
【００４１】
第１番組情報ＰＩ１をテレビジョン信号ＦＳの隠れ線から得ることができ、第２番組情報ＰＩ２をインターネットに接続されるＥＰＧサーバからダウンロードできることがとりわけ有利である。即ち、受信チャネルＣを介して送信されるテレビジョン信号ＦＳの番組情報を、第１番組情報ＰＩ１又は第２番組情報ＰＩ２に見つけることができない場合、それぞれ、第２番組情報ＰＩ２又は第１番組情報ＰＩ１において当該番組情報を検索することが可能である。
【００４２】
更に、本例の場合、記録手段６のハードディスクの一部が、中間記憶手段を形成し、該中間記憶手段により、チューナにより供給された瞬時の前３０分のテレビジョン信号ＦＳが、間断なく上書きされるようにして記録される。この中間記憶時間ＴＺ＝３０分内でワンタッチ録画キーが現在受信中のテレビ番組の録画を開始するために作動されると、記録制御手段１３は、既に中間記憶手段に記録されているテレビ番組の最初の部分のテレビジョン信号を、後続する録画において記録されたテレビジョン信号ＦＳに割当てるであろう。即ち、１１：１０の録画開始時間ＡＢＺが、より早い録画開始時間ＶＡＢＺ＝１１：００に後で移動される。
【００４３】
これは、ユーザが１１：１０にテレビ番組”ＳＴＩＮＧ ＩＮ ＣＯＮＣＥＲＴ”の録画を単に起動させた場合でも、中間記憶手段により既に記録されているこのテレビ番組の最初の部分が、当該録画における後続する部分に割当てられ、後の再生時に、テレビ番組”ＳＴＩＮＧ ＩＮ ＣＯＮＣＥＲＴ”全体を再生することができると言う利点を持つ。
【００４４】
ハードディスクレコーダ１の第２使用例においては、ユーザが、ハードディスクレコーダ１によりテレビ番組”ＭＡＲＡＴＨＯＮ”を録画することを望んでいる。テレビ番組”ＭＡＲＡＴＨＯＮ”は、テレビ局ＥＵＲＯＳＰＯＲＴの受信チャネルＣ３を介して１２：００から１２：３０まで翌日に受信され得る。この目的のため、ユーザは、タイマキーを作動させることによりハードディスクレコーダ１のタイマモードを起動し、これに応じて、テレビジョンセット８は、ユーザがキーパッド１４のキーにより録画日、受信チャネルＣ、録画開始時間ＡＢＺ及び録画終了時間ＡＥＺを入力することができるようなオンスクリーン表示を示す。
【００４５】
次いで、ユーザは、差し当たり、プログラムされるべき録画の録画日、受信チャネルＣ及び録画開始時間ＡＢＺを入力し、これに応じて、記録制御手段１３は、表Ｔを用いて録画終了時間ＡＥＺ＝１２：３０を決定し、これをオンスクリーン表示内に提示する。これは、ユーザが、ＯＫキーを一回作動させることにより全てのエントリ及び斯かる提示の正確性を単に裏付ける必要しかなく、キーパッド１４のキーによる録画終了時間ＡＥＺの入力が必要ではないと言う利点を持つ。
【００４６】
記録装置の受信手段は、デジタルデータストリーム（ＤＶＢデータストリームはＭＰＥＧトランスポートストリームを含む）におけるテレビ番組を受信しても良いことに留意されたい。この場合、検出手段が、電子番組ガイドも含み得るＥＮ ３００ ４６８ Ｖ１．３．１ （１９９８−０２）に応じたデジタルデータストリームを検出する場合にとりわけ有利である。
【００４７】
予め第１番組情報ＰＩ１及び第２番組情報ＰＩ２を検出し、検出された情報が数日乃至一週間表Ｔ内に入力されても良いことに留意されたい。斯かる検出は、例えば、ユーザがハードディスクレコーダを利用せず、インターネットＮＥＴ上のサービスプロバイダを介したデータ転送トラヒックが少ない夜間に行われても良い。
【００４８】
電子番組ガイドの番組情報は、他の通信経路を介して記録装置により受信され得ることにも留意されたい。例えば、番組情報を、例えばＢｌｕｅｔｏｏｔｈ標準規格に規定されるような無線ローカルエリアネットワークを介して受信することが可能であろう。
【００４９】
本発明による記録装置は、例えば、ＤＶＤレコーダ、アナログビデオレコーダ又はコンピュータの形態をとっても良いことに留意されたい。
【図面の簡単な説明】
【図１】電子番組ガイドによって決定される録画されるべきテレビ番組の終了時間を録画終了時間として用いることをユーザに提案するハードディスクレコーダを示す。
【図２】図１に示されるハードディスクレコーダにより受信される電子番組ガイドの一部を示す。
【図３】ハードディスクレコーダの受信チャネルにおいて受信される、テレビ局ＭＴＶのテレビ番組のテレビジョン信号の波形を記号的に示す。
【国際公開パンフレット】
2004506390.tif 000003
2004506390.tif 000004
2004506390.tif 000005
2004506390.tif 000006
2004506390.tif 000007
2004506390.tif 000008
2004506390.tif 000009
2004506390.tif 000010
2004506390.tif 000011
2004506390.tif 000012
2004506390.tif 000013
2004506390.tif 000014
2004506390.tif 000015
2004506390.tif 000016
2004506390.tif 000017
【国際公開パンフレット（コレクトバージョン）】
2004506390.tif 000018
【国際調査報告】
2004506390.tif 000019
2004506390.tif 000020